(57)【要約】      （修正有）【課題】利用者のより自立的なトイレの使用を可能とする設備及び構造を提供する。【解決手段】座位から頭を前方に傾けていくと、臀部が自然に浮き上がるという重心移動を考慮した身体運用に着目し、利用者前方に円弧軌跡を有する可動式手すりを配置する。更に拡張機能として、用便の前後、利用者前方にある手すりを引き押しする事により、その自らの力をリンクや油圧やワイヤーを経由して、座面を昇降し、座位〜立位の移行動作を補助する。【選択図】図３
2005160681.tif 000002
【特許請求の範囲】
【請求項１】
洋式便器において、利用者の前方と側面にかかるべく可動式の逆T字形手すりを配置して、排泄時および座位〜立位の移行動作の把持体として利用するものであり、逆Ｔ字型の水平部分（５）を利用者側方に配置し、これを回転軸として逆T字型の垂直部（４）が利用者前方で約９０度の円弧可動域（便宜上ＸＹ軸）を有し、この回転ヒンジにはダンパーが内蔵され手すりの円弧軌道に緩やかで適度な負荷をかける事により、垂直時・水平時・円弧動作中も適宜身体保持が行え、且つ円弧動作をする部分が利用者の身体特性に合わせて前後方向（便宜上Ｚ軸）にも可動域を有する事を特徴とする設備。
【請求項２】
例えば、座位の、利用者前方にある手すりを、利用者が立ち上がろうとして引き寄せ動作を行う時、その自らの力をリンク・ワイヤー・油圧等を経て座面を昇降する力に転用し、体を手すりへ引き寄せる力に応じて座面を昇降し、自立的な座位〜立位の移行動作を容易にする構造。
【発明の詳細な説明】
【技術分野】
【０００１】
本発明は、健常者標準のトイレや既存の補助設備では利用しにくい高齢者や障害者のための設備である。
【背景技術】
【０００２】
従来のトイレ廻りにおける手すりの例を図面に従って説明する。図１は、既存の大半が採用している片側または両側に配置された手すりを用いた立位〜座位の代表的な移行状態を示している。しかし、この方式は、上肢上腕の筋力を多く必要とし、身体を保持する手すりの握り位置が立ち上がる際の頭部より後方にあるため心理的な不安感も生じ、バランスを取りにくい高齢者や障害者には困難な動作であることが解る。
【０００３】
排泄における体の姿勢補助に関し、本発明と類似した視点で製品化されたものでは『特許第３４２６５６号・排泄時における座位保持用の保持設備』があげられる。当該特許においても、洋式便器利用者前方に可動式の水平物体を配置する点は同じであるが、名称が示すとおり身体の移乗時よりも座位排泄時の体の安定に主眼が置かれており、物体が手すりでなくテーブル状の台であるなど、設備の対象者と身体運用の解釈と具現化の方法に相違がある。また、当該設備が垂直の折りたたみ時と水平への展開動作中は身体保持機能を持たない点と、利用者前後方向の可動域が無いことが、本発明と異なる。更に、座位〜立位の移行動作補助機構を持たない点も本発明と異なる。
【０００４】
以下、（特許文献１）に用いられた図面から補足説明する。特許第３４２６５６号の添付図１は、当該テーブルが折りたたまれた状態を便器側面から示しているが、この時利用者への積極的な身体保持機能は無い。同図２は、当該テーブルが折りたたまれた状態を便器正面から示している。同図面上の符号（１）はテーブルであり、符号（３）は水平に展開した際のテーブル脚体である。同図６は、利用者が当該設備を使用した用便中を側面から示している。これらの図から、本発明との共通概念部と具現化の相違と用途の相違が視覚的に理解出来る。
【０００５】
【特許文献１】特許第３４２６５６号
【発明の開示】
【発明が解決しようとする課題】
【０００６】
トイレを使用する際の身体運用は３段階に大別出来る。先ず衣服を外し便座に座る迄、次に排泄と後処理、最後に便座から立ち上がる或いは車いす等へ移乗する迄の動作である。利用者身体機能の程度にもよるが、便座に座った排泄行為そのものよりも、前後動作の、座位〜立位移行に、不便を感じている高齢者や障害者は少なくない。本発明は、その様な方々を主な対象として、より自立的なトイレの使用を可能とするものである。
【課題を解決するための手段】
【０００７】
以下、課題解決手段を図面に従って説明する。図２は、本発明が提案する立位〜座位の移行状態を表している。座位から前傾姿勢を深めていくと臀部が自然に浮き上がるという、力学に合致するこの身体運用は、重心移動を考慮した動作であり、利用者の少ない力で状態移行を可能とし、加えて頭部の前方に手すりが有るため安心して前傾姿勢を取ることが可能である。
【発明の効果】
【０００８】
広義の福祉用具において既に様々な製品が提供されている。一方、利用者の身体特性と生活史も様々であり、同じ程度の身体機能でも心理面等が異なれば、当人の使い勝手や感想も相当に異なっている。確かにユニバーサルデザインという概念は福祉用具の開発者にとって重要な意味を持っている。しかし、個別具体的な製品においては或時点或場所での限定的な有用性と妥当性しか担保にしえず、福祉用具としての技術的普遍性は薄いと考えられる。寧ろ、歴史的・文化的・地理的・医学的・科学的・経済的背景等に影響されて、不便の軽減解消を目的とする福祉用具の技術は、都度変化すると理解するのが自然に思える。この視点で、現場からのニーズを捉えて、本発明は、健常者標準のトイレや既存の補助具では利用しにくい高齢者や障害者のための設備のひとつとして提案している。
【発明を実施するための最良の形態】
【０００９】
図３において、本発明の実施例を側面図で示す。
【実施例１】
【００１０】
符号（１）は、可動式の逆Ｔ字形手すりが垂直に機能する際の保持部であり、ここでは利用者からみて前後方向に３カ所設けてある。この３カ所の意味は、手すりが利用者の身長や腕の長さ等、身体特性に合わせて前後にも可動域を有する事を表す。また、前後の保持位置（１）（３）と、逆Ｔ字形手すり（４）（５）の接合位置および長さ比は、図面表示に限定されず、適宜状況に応じて変更可能である。
【００１１】
符号（２）は、回転ダンパーを内蔵したＴ字形手すり水平部（５）の保持兼ヒンジであり、ダンパーの回転負荷により手すりの上がり下がりを緩やかでしっかり感のある動きにしている。例えば用法のひとつとして、立位から座位に移行する場合、手すり（４）が垂直時の上側に逆手の右手・下側に順手の左手として把持し、手すり（４）を水平に回転させると、手がかりである手すり（４）が緩やかに下降して座位に移行できる。
【００１２】
尚、設備が高価大型となる難点は生ずるが、反転機構をもつバネやモータ等を利用した駆動構造とインターロックを適宜付加することによって、手すり（４）の自動的な上がり下がりも可能である。
【００１３】
図５では、利用者を正面から見た場合の配置例を示す。図６では、可動手すりが垂直の状態を表す。矢印（１１）は、手すり（４）の円弧軌跡を示す。
【実施例２】
【００１４】
図７と図８は、請求項１の拡張機能の説明であり、用便前後、座位〜立位の状態移行を別法で支援する。トイレに限らず、座位から自力での立ち上がりに不便を感じている高齢者や障害者は少なくない。図では利用者前方にある手すり（４）を手前に引く事により、その自らの力を油圧シリンダー（７）（８）等を経由して、座面（９）へ導き昇降する様を表している。
【００１５】
これは、利用者上肢が座面に垂直の姿勢で、体荷重の大半が座面に掛かっている時点から持ち上げようとするものではなく、利用者が立ち上がろうと意図して前傾姿勢を取り、下肢と手すりに体荷重が移動する過程を促進するものであるため、体重を持ち上げるよりも遙かに少ない力で行為の遂行を可能とする。
【００１６】
又、基本的に自力を利用した構造であるため、利用者が昇降加減の協調を得やすい利点がある。尚、この自力での座面昇降手法は、図７と図８の油圧を利用した実施例に限らず、リンクやワイヤー等も適宜使用して、設置場所に応じた変更が可能である。
【００１７】
要は、図７と図８から理解できるとおり、この機構は請求項１の可動手すり拡張機能として限定したものではなく、独立して、様々な場面で、座位〜立位の自立的移行支援として機能する。
【図面の簡単な説明】
【００１８】
【図１】既存設備の使用例
【図２】本発明の身体運用例
【図３】本発明の側面図
【図４】逆Ｔ字形手すり
【図５】正面図・逆Ｔ字形手すり水平時
【図６】正面図・逆Ｔ字形手すり垂直時
【図７】請求項２の実施例・座面下限
【図８】請求項２の実施例・座面上限
【符号の説明】
【００１９】
（１）  逆Ｔ字型可動手すり垂直時の保持部
（２）  逆Ｔ字型可動手すり回転ヒンジ部
（３）  逆Ｔ字型可動手すり水平時の保持部
（４）  円弧動作する逆Ｔ字型手すり垂直部
（５）  同軸回転する逆Ｔ字形手すり水平部
（６）  トイレ壁面
（７）  入力油圧シリンダー
（８）  作用油圧シリンダー
（９）  座面
（１０）便器
（１１）逆Ｔ字形手すりの円弧軌跡
【図１】
2005160681.tif 000003
【図２】
2005160681.tif 000004
【図３】
2005160681.tif 000005
【図４】
2005160681.tif 000006
【図５】
2005160681.tif 000007
【図６】
2005160681.tif 000008
【図７】
2005160681.tif 000009
【図８】
2005160681.tif 000010